(57)【要約】【課題】設置面から突出せず、かつ、側方からも視認可能な表示灯装置を提供する。【解決手段】防災機器３と一体または該防災機器３の近傍に設けられて、発光部１６からの光を室内側に出射することにより防災機器３の位置を示す光表示部１４を筐体２に有する表示灯装置において、筐体２は、室内側に露出する前面部１０と、前面部１０より室内側に突出しないように配置された傾斜面状の光表示部１４とを有し、発光部１６から光表示部１４までの光路には、光を拡散させる光拡散部が設けられる。【選択図】図８
2020004427.tif 000002
【特許請求の範囲】
【請求項１】
防災機器と一体または該防災機器の近傍に設けられて、発光部からの光を室内側に出射することにより前記防災機器の位置を示す光表示部を筐体に有する表示灯装置において、
前記筐体は、室内側に露出する前面部と、該前面部より室内側に突出しないように配置された傾斜面状の前記光表示部とを有し、
前記発光部から光表示部までの光路には、光を拡散させる光拡散部が設けられることを特徴とする表示灯装置。
【請求項２】
前記発光部から光表示部までの光路には、光を透過させる透光部が設けられ、前記発光部は、発光方向が前記透光部に向かう方向と異なる方向となるように配置され、前記筐体内には、前記発光部からの光を前記透光部に向かって反射させる光反射部を有し、該光反射部が前記光拡散部であることを特徴とする請求項１に記載の表示灯装置。
【請求項３】
前記発光部と光表示部の間には、光を透過させる透光部が設けられ、該透光部の表面には、前記光拡散部として光学フィルムが設けられることを特徴とする請求項１または２に記載の表示装置。
【請求項４】
前記発光部と光表示部の間には、光を透過させる透光部が設けられ、該透光部は、前記発光部からの光の照射範囲内に前記光拡散部として拡散リブを有し、該拡散リブは、前記透光部の前記発光部と対向する面から突出するように形成されることを特徴とする請求項１または２に記載の表示装置。
【請求項５】
前記拡散リブは、前記発光部からの光の照射範囲のうち、前記前面部側の一部の範囲に渡って設けられることを特徴とする請求項４に記載の表示装置。
【請求項６】
前記筐体には、前記光拡散部として周方向に沿うライトガイド部が設けられ、該ライトガイド部は、前記筐体の周方向に沿って光を透過させると共に、前記筐体の外周側に向かって光を放出するように形成され、
前記発光部は、前記ライトガイド部に光を入射するように配置されることを特徴とする請求項１に記載の表示灯装置。
【請求項７】
前記発光部は、前記ライトガイド部の端部から光を入射するように配置されることを特徴とする請求項６に記載の表示灯装置。
【発明の詳細な説明】
【技術分野】
【０００１】
本発明は、建物の壁面などに設置され火災を通報する発信機の位置を示すように発光する表示灯装置に関する。
【背景技術】
【０００２】
建物などには、火災を通報する発信機の位置を示すように発光する表示灯装置が設置される。表示灯装置は、建物の壁面や、壁面に設置される消火栓箱などにおいて、発信機と一体あるいは近傍に設けられる。表示灯装置の表示灯は、通常時において点灯しており、発信機の位置を周囲から確認できるようにしている。特許文献１に示す表示灯装置は、発信機と共に機器収容箱に配置されている。
【先行技術文献】
【特許文献】
【０００３】
【特許文献１】特開平９−２６５５９４号公報
【発明の概要】
【発明が解決しようとする課題】
【０００４】
表示灯装置に設けられる表示灯は、正面のみならず側方からも視認できるものである必要がある。このため、従来の表示灯装置に設けられる表示灯は、設置される面よりも突出する形状を有しており、例えば、半球状の形状を有している。
【０００５】
突出状の表示灯は、側方から人や物が衝突することで、破損する可能性がある。また、表示灯は赤色で目立ち、このような表示灯が設置面から突出していると、建物内装の意匠性を損ねると感じられる場合もある。このため、設置面から突出せず、かつ、側方からも視認可能な表示灯装置が望まれていた。
【０００６】
本発明は前記課題を鑑みてなされたものであり、設置面から突出せず、かつ、側方からも視認可能な表示灯装置であって、出射する光のむらを小さくすることで、意匠性を向上させると共に、より広い範囲に光を出射させることができる表示灯装置を提供することを目的とする。
【課題を解決するための手段】
【０００７】
前記課題を解決するため、請求項１の発明に係る表示灯装置は、防災機器と一体または該防災機器の近傍に設けられて、発光部からの光を室内側に出射することにより前記防災機器の位置を示す光表示部を筐体に有する表示灯装置において、
前記筐体は、室内側に露出する前面部と、該前面部より室内側に突出しないように配置された傾斜面状の前記光表示部とを有し、
前記発光部から光表示部までの光路には、光を拡散させる光拡散部が設けられることを特徴として構成されている。
【０００８】
請求項１に係る発明によれば、発光部からの光を拡散させて光表示部に入射させることができ、光のむらを小さくすることができる。
【０００９】
また、請求項２の発明に係る表示灯装置は、前記発光部から光表示部までの光路には、光を透過させる透光部が設けられ、前記発光部は、発光方向が前記透光部に向かう方向と異なる方向となるように配置され、前記筐体内には、前記発光部からの光を前記透光部に向かって反射させる光反射部を有し、該光反射部が前記光拡散部であることを特徴として構成されている。
【００１０】
請求項２に係る発明によれば、発光部から透光部までの光の経路を長くし、発光部からの光を十分に広がった状態で透光部に入射させることができ、透光部から出射する光のむらを小さくすることで、意匠性を向上させると共に、より広い範囲に光を出射させることができる。
【００１１】
さらに、請求項３の発明に係る表示灯装置は、前記発光部と光表示部の間には、光を透過させる透光部が設けられ、該透光部の表面には、前記光拡散部として光学フィルムが設けられることを特徴として構成されている。
【００１２】
請求項３に係る発明によれば、透光部を通過する光をより拡散させることができ、光が１箇所に集中しないようにして、意匠性を向上させると共に、より広い範囲に光を出射させることができる。
【００１３】
さらにまた、請求項４の発明に係る表示灯装置は、前記発光部と光表示部の間には、光を透過させる透光部が設けられ、該透光部は、前記発光部からの光の照射範囲内に前記光拡散部として拡散リブを有し、該拡散リブは、前記透光部の前記発光部と対向する面から突出するように形成されることを特徴として構成されている。
【００１４】
請求項４に係る発明によれば、発光部からの光が、拡散リブによって広角に拡散された上で透光部から出射されるので、透光部から出射する光のむらを小さくすることで、意匠性を向上させると共に、より広い範囲に光を出射させることができる。
【００１５】
そして、請求項５の発明に係る表示灯装置は、前記拡散リブは、前記発光部からの光の照射範囲のうち、前記前面部側の一部の範囲に渡って設けられることを特徴として構成されている。
【００１６】
請求項５に係る発明によれば、室内側から見える前面部側については、光を拡散させてむらを小さくする一方、室内側から見えにくい側については、光量を確保した上で光表示部によって反射させ、広い範囲に光を出射させることができる。
【００１７】
また、請求項６の発明に係る表示灯装置は、前記筐体には、前記光拡散部として周方向に沿うライトガイド部が設けられ、該ライトガイド部は、前記筐体の周方向に沿って光を透過させると共に、前記筐体の外周側に向かって光を放出するように形成され、
前記発光部は、前記ライトガイド部に光を入射するように配置されることを特徴として構成されている。
【００１８】
請求項６に係る発明によれば、ライトガイド部からの光が、筐体の周方向に沿って均一となり、光のむらをなくして意匠性を向上させると共に、光の視認性も良好にすることができる。
【００１９】
さらに、請求項７の発明に係る表示灯装置は、前記発光部は、前記ライトガイド部の端部から光を入射するように配置されることを特徴として構成されている。
【００２０】
請求項７に係る発明によれば、発光部からの光が、ライトガイド部の全域から出射され、筐体の周方向に沿ってより均一な光を得ることができる。
【発明の効果】
【００２１】
本発明に係る表示灯装置によれば、光表示部に入射する光のむらを小さくすることができるので、意匠性を向上させると共に、より広い範囲に光を出射させることができる。
【図面の簡単な説明】
【００２２】
【図１】本発明の第１の実施形態における表示灯装置の正面図である。
【図２】第１の実施形態における表示灯装置の斜視図である。
【図３】図１のＡ−Ａ’断面図である。
【図４】図３のうち発光部及び光表示部付近の拡大図である。
【図５】本発明の第２の実施形態における表示灯装置の正面図である。
【図６】第２の実施形態における表示灯装置の斜視図である。
【図７】図５のＡ−Ａ’断面図である。
【図８】図７のうち発光部及び光表示部付近の拡大図である。
【図９】第３の実施形態における表示灯装置のうち、発光部及び光表示部付近の拡大断面図である。
【図１０】第４の実施形態における表示灯装置のうち、発光部及び光表示部付近の拡大断面図である。
【図１１】第５の実施形態における表示灯装置のうち、発光部及び光表示部付近の拡大断面図である。
【図１２】第６の実施形態における表示灯装置のうち、発光部及び光表示部付近の拡大断面図である。
【図１３】第７の実施形態における表示灯装置のライトガイド部及び発光部の構成を表した正面図である。
【発明を実施するための形態】
【００２３】
本発明の実施形態について、図面に沿って詳細に説明する。図１には、本発明の第１の実施形態における表示灯装置１の正面図を、図２には、表示灯装置１の斜視図を、図３には、図１のＡ−Ａ’断面図を、それぞれ示している。なお、図３において火災発信機３の内部構造は省略している。この表示灯装置１は、建物の壁面または、建物の壁面に設けられる機器収容箱に埋め込まれて使用されるものであって、表示灯装置１内に設けられる防災機器である火災発信機３の位置を示す光表示部１４を有しており、表示灯装置１の前方または側方から、光表示部１４からの光を視認できるように構成されている。
【００２４】
表示灯装置１は、扁平円筒状の筐体２を有し、筐体２の中央部には、防災機器である火災発信機３が配置されている。火災発信機３は、前面に円形状の操作部２０と、略四角形状の扉部２１とを有している。火災が発生した際には、押し釦スイッチからなる操作部２０を押圧操作することで、他の機器に火災発生信号を送信することができる。また、扉部２１は開閉自在に形成されており、内部には非常用電話を接続するための端子（図示しない）が配置される。
【００２５】
筐体２は、室内側に露出する前面部１０と、壁面または機器収容箱に埋め込まれて室内側には露出しない周面部１１とを有している。図３に示すように、前面部１０は、設置面となる壁面または機器収容箱の室内面４と略面一状となるように配置される。すなわち、筐体２は前面部１０のみが室内側に露出する。前面部１０の中央部には、前述の火災発信機３が配置され、その外周に沿い、弧状の凹部１２が２つ配置される。凹部１２は、それぞれ左右に対称となるように配置されている。
【００２６】
凹部１２は、前面部１０の表面に対し奥側に向かう略垂直面で構成した内周側面１２ａと、内周側面１２ａの奥側端部から凹部１２の前面部１０側の外周端部までを、断面略弧状の傾斜面で構成した外周側面１２ｂとを有している。このため、外周側面１２ｂは、筐体２の内周側から外周側に向かう方向に沿って、筐体２の奥側から前面部１０側に向かう傾斜面状となっている。
【００２７】
凹部１２の内周側面１２ａは、全体が赤色の透光性を有する材料によって形成された透光部１３である。透光部１３の内側には、ＬＥＤなどからなる発光部１６が配置される。発光部１６は、凹部１２の周方向に沿って複数個が設けられる。発光部１６からの光は発散光であり、透光部１３の表面は、発光部１６からの発散光をさらに発散させるレンズ面となっている。なお、透光部１３の表面は、レンズ面が形成されていなくてもよい。また、透光部１３は、赤色の透光性を有する材料によって形成されるものには限られず、例えば、無色透明あるいは乳白色の材料によって形成されていてもよい。
【００２８】
また、透光部１３の表面には、光を拡散させる光学フィルム１８が設けられている。光学フィルム１８は、透明なフィルム上に微細なＵＶ樹脂による凸形状が多数形成されたものであり、厚み方向に光が透過する際に光を拡散させることができる。これによって、透光部１３からの光をさらに拡散させ、光が１箇所に集中しないようにすることができる。なお、光学フィルム１８の構成は、上記のものには限られず、また、光学フィルム１８は透光部１３の必ずしも表面に設けられていなくてもよい。
【００２９】
発光部１６は、従来において通常、筐体２の内周側から外周側に向かって光を発するように配置されるが、本実施形態では、透光部１３や光表示部１４とは反対側、すなわち筐体２の外周側から内周側に向かって光を発するように配置されている。筐体２内には、発光部１６と対向するように光反射部１７が配置されている。このため、発光部１６からの光は、光反射部１７で反射後、透光部１３や光表示部１４に向かって進む。すなわち、発光部１６で発せされた光は、少なくとも１回以上の反射後に光表示部１４に向かう。
【００３０】
凹部１２の外周側面１２ｂは、全体が光を反射できる鏡などの表面からなる光表示部１４となっている。なお、光表示部１４の表面は光を反射する反射面であればよく、鏡に限らず、光沢面や高輝度の塗装、あるいはメッキを施すなどによって形成されていてもよい。光表示部１４は、外周側面１２ｂが前述のような形状を有しているので、前面部１０より室内側には突出しないように配置されている。
【００３１】
図４には、図３のうち発光部１６及び光表示部１４付近の拡大図を示している。この図では、発光部１６からの光が透光部１３に達するまでの光路について、破線にて示している。図４に示すように、発光部１６からの光は発散光であり、まず、筐体２の光反射部１７に向かって進み、さらに、光反射部１７で反射して透光部１３に向かって進む。透光部１３は、前述のように表面がレンズ面となっているので、透光部１３を透過した光は、さらに広がりながら光表示部１４により室内側に反射される。
【００３２】
発光部１６は、透光部１３に近い位置に配置されているので、発光部１６から透光部１３に向かって直接光を発すると、発散光が十分に広がらないまま透光部１３に達して狭い範囲に光が照射される。発光部１６は周方向の複数箇所に設けられるため、室内側からは透光部１３の複数箇所が点状に光るように見えて、意匠性を損ねると共に、光を十分に拡散できないため、光表示部１４で反射した光も、斑状となって広い範囲からの視認性を損ねる可能性がある。
【００３３】
本実施形態では、発光部１６が透光部１３と反対側に向かって光を発し、光反射部１７で反射した光が透光部１３に達するようにしたことで、発光部１６から透光部１３までの光が進む経路の距離を大きくすることができ、発光部１６からの発散光が十分に広がった状態で透光部１３に達するので、透光部１３から出射する光のむらが小さくなり、意匠性を向上させることができると共に、光表示部１４で反射した光を広い範囲から確実に視認することができる。
【００３４】
なお、本実施形態では、発光部１６からの光が、透光部１３とは反対側に向かって出射されるようにしているが、透光部１３に向かう方向と異なる方向に向かって出射されていてもよい。いずれにしても、発光部１６からの光が向かう方向に光反射部１７が配置され、光反射部１７で反射された光が透光部１３に向かうように構成されていればよい。
【００３５】
光表示部１４は、図２に示すように、筐体２の斜め前方からであっても視認できる。また、光表示部１４が左右方向において断面弧状を有していることにより、発光部１６からの光は、筐体２の正面のみならず、筐体２の斜め前方のより広い範囲に向かって反射される。これらによって、光表示部１４で反射された光は、筐体２の前方の広い角度範囲から視認することができる。
【００３６】
また、透明部材１５は、表面が内周側から外周側に向かって下り傾斜状の傾斜面となっており、筐体２は、透明部材１５よりも外周側の部分が、内周側から外周側に向かって上り傾斜状の傾斜面となっている。すなわち、筐体２は、周方向に沿って、透明部材１５の外周端部が底となる凹形状を有している。これにより、透光部１３及び透明部材１５を介して出射される光を、筐体２の前方のより広い角度範囲から視認することができる。
【００３７】
筐体２は、前面部１０のみが露出し、光表示部１４は、前面部１０から室内側に突出しないように配置されているので、表示灯装置１をフラットなデザインとすることができ、意匠性を向上させることができる。その一方で、光表示部１４からの光は、筐体２の前方の広い角度範囲から視認できるので、筐体２の正面及び側方から防災装置である火災発信機３の位置を確認できるようにすることができる。
【００３８】
凹部１２の開口部分には、前面部１０と同じ方向に面する板状の透明部材１５が設けられている。これにより、凹部１２内の光表示部１４や透光部１３が汚れるなどして、光が視認しにくくなることを防止できる。
【００３９】
次に、本発明の第２の実施形態について説明する。図５には、本発明の第２の実施形態における表示灯装置５０の正面図を、図６には、表示灯装置５０の斜視図を、図７には、図５のＡ−Ａ’断面図を、それぞれ示している。なお、図７において火災発信機３の内部構造は省略している。
【００４０】
本実施形態の表示灯装置５０も、第１の実施形態の表示灯装置１と同様、建物の壁面または、建物の壁面に設けられる機器収容箱に埋め込まれて使用されるものであって、表示灯装置５０内に設けられる防災機器である火災発信機５２の位置を示す光表示部６４を有しており、表示灯装置５０の前方または側方から、光表示部６４からの光を視認できるように構成されている。
【００４１】
表示灯装置５０は、扁平円筒状の筐体５１を有し、筐体５１には、防災機器である火災発信機５２が一体的に設けられている。火災発信機５２は、第１の実施形態と同様、操作部７０と扉部７１を備えている。
【００４２】
筐体５１は、室内側に露出する前面部６０と、壁面または機器収容箱に埋め込まれて室内側には露出しない周面部６１とを有している。図７に示すように、前面部６０は、設置面となる壁面または機器収容箱の室内面５３より突出しないように配置される。筐体５１には、前面部６０の左右両側に凹部６２を有している。凹部６２は、前面部６０から奥側に向かう内周側面６２ａと、内周側面６２ａの奥側端部から筐体５１の外周部に向かう傾斜面状の外周側面６２ｂとで構成されている。外周側面６２ｂは、内周側面６２ａと筐体５１の外周部とに囲まれた領域である。
【００４３】
内周側面６２ａは、光を透過させる透光部６３となっており、その内側には発光部６６が配置されている。発光部６６は、透光部６３を介して筐体５１の内周側から外周側に向かうように光を発する。透光部６３には、発光部６６と対向する面から突出するように拡散リブ６３ａが形成されている。拡散リブ６３ａは、透光部６３の表面から斜め上方に向かって突出している。
【００４４】
外周側面６２ｂは、発光部からの光が進む方向に沿って、筐体５１の奥側から前側に向かう傾斜面状であって、左右方向において断面略弧状に形成され、また、発光部６６からの光を反射する光表示部６４となっている。光表示部６４は、筐体５１の前面部６０よりも室内側には突出しないように配置されている。
【００４５】
発光部６６からの光は、透光部６３を介し対向する光表示部６４に向かって進み、光表示部６４により筐体５１の前面側に反射される。すなわち、本形態では、発光部６６からの光は、反射することなく光表示部６４に向かう。光表示部６４は、図５に示すように、筐体５１の斜め前方からでも視認できる。また、光表示部６４が左右方向において断面弧状を有していることにより、発光部６６からの光は、筐体５１の正面のみならず、筐体５１の斜め前方のより広い範囲に向かって反射される。これらにより、光表示部６４で反射された光は、筐体５１の前方の広い角度範囲から視認することができる。
【００４６】
図８には、図７のうち発光部６６及び光表示部６４付近の拡大図を示している。この図では、発光部６６からの光が透光部６３に達するまでの光路について、破線で示している。図８に示すように、発光部６６からの光は発散光であり、一部は透光部６３に形成された拡散リブ６３ａに達し、その他の一部は拡散リブ６３ａ以外の透光部６３に達する。拡散リブ６３ａは、発光部６６からの光の照射範囲のうち、前面部６０側の一部の範囲に渡るように形成されている。
【００４７】
発光部６６からの光のうち、前面部６０側の拡散リブ６３ａに達する光は、拡散リブ６３ａ及び透光部６３によってそれぞれ屈折する。その屈折角度は、入射する位置に応じて様々であるため、拡散リブ６３ａに入射した光は、より広い角度に拡散されて出射される。一方、発光部６６からの光のうち、直接透光部６３に入射する光は、レンズ面として機能する透光部６３の表面によって広角に出射されるが、拡散リブ６３ａを透過した光ほどには拡散されず、出射される。
【００４８】
本実施形態では、発光部６６からの光のうち、前面部６０側の一部が、拡散リブ６３ａによって広角に拡散されるため、第１の実施形態と同様、透光部６３から出射する光のむらを小さくすることができる。また、発光部６６からの光のうち、拡散リブ６３ａに入射しない光については、後面側に位置するため、室内側から直接見えにくく、意匠性を低下させることがない一方、光表示部６４によって筐体５１の前面側及び側方の広い範囲に向かって反射させることができる。
【００４９】
光を拡散させるために、透光部６３を乳白色としたり、あるいは細かい凹凸を設けるなどすると、発光部６６からの光は拡散するものの、光表示部６４に対して入射する光量が低下してしまう。これに対し、本実施形態のように、発光部６６からの光の一部を拡散リブ６３ａに入射させるようにしたことで、反射面となる光表示部６４に対する光量を確保しつつ、かつ、発光部６６からの光を拡散させて、透光部６３の一部だけに光が集中することを抑制することができる。
【００５０】
このように、本実施形態の表示灯装置５０においても、筐体５１の前面部６０から突出しない傾斜面状の光表示部６４により、デザインをフラットにしつつ、筐体５１の正面及び側方の広い角度範囲から、防災機器である火災発信機５２の位置を確認できるようにすることができる。
【００５１】
凹部６２の開口部分には、第１の実施形態と同様、透明部材６５が設けられており、光表示部６４や透光部６３に汚れ等が付着しないようにすることができる。
【００５２】
次に、本発明の第３の実施形態について説明する。本形態の表示灯装置は、第１の実施形態の表示灯装置と概ね同じ構成を有しているので、共通する部分についての説明は省略する。図９には、第３の実施形態における表示灯装置のうち、発光部１６及び光表示部１４付近の拡大断面図を示している。
【００５３】
本形態の表示灯装置は、透光部１３よりも筐体２の奥側に発光部１６が配置される。発光部１６は、筐体２の前面側に向かって光を発することができる。また、筐体２内には、発光部１６を覆うように覆い部３０が設けられる。覆い部３０は、光を透過しない材料によって形成されており、発光部１６の上方及び側方のうち、透光部１３寄りの部分を覆っており、発光部１６の上方のうち、光反射部１７寄りの部分には、開口３０ａが形成されている。
【００５４】
覆い部３０が筐体２内に配置されていることにより、発光部１６からの発散光のうち、透光部１３に向かう部分は、覆い部３０によって塞がれる。一方、発光部１６からの発散光のうち、透光部１３に直接向かわず、上方及び光反射部１７に向かう部分は、開口３０ａから外部に出射され、光反射部１７や筐体２の他の内面で反射する。光反射部１７などで反射した光は、光表示部１４を介し、あるいは直接、外部に出射される。
【００５５】
このように、発光部１６を筐体２の前面側に向かって光を発するように配置すると共に、発光部１６から透光部１３に直接向かう光を覆い部３０で遮るようにして、光反射部１７などで反射した光だけが透光部１３に向かうようにすることで、光は拡散された状態で透光部１３に到達するので、透光部１３の一部だけに光が集中して透光部１３や光表示部１４に光のむらを生じさせ、意匠性を低下させることを防止できる。
【００５６】
次に、本発明の第４の実施形態について説明する。本形態の表示灯装置は、第１の実施形態の表示灯装置と概ね同じ構成を有しているので、共通する部分についての説明は省略する。図１０には、第４の実施形態における表示灯装置のうち、発光部１６及び光表示部１４付近の拡大断面図を示している。
【００５７】
本形態の表示灯装置は、第３の実施形態と同様、透光部１３よりも筐体２の奥側に発光部１６が配置される。発光部１６は、筐体２の前面側に向かって光を発することができる。筐体２には、発光部１６と対向するように、傾斜反射面部３１が配置される。傾斜反射面部３１は、光を反射する表面を有しており、筐体２の奥側から前面側に向かう発光部１６からの光を、筐体２の内周側から外周側に向かうように反射させることができる。
【００５８】
発光部１６からの光は、傾斜反射面部３１で反射し、透光部１３を経て光表示部１４で反射し、外部に出射される。このように、発光部１６を筐体２の前面側に向かって光を発するように配置すると共に、傾斜反射面部３１によって筐体２の内周側から外周側に向かうように光を反射させることで、発光部１６から透光部１３までの光の経路を長くすることができ、透光部１３には光が拡散された状態で到達するので、透光部１３の一部だけに光が集中して透光部１３や光表示部１４に光のむらを生じさせ、意匠性を低下させることを防止できる。
【００５９】
次に、本発明の第５の実施形態について説明する。本形態の表示灯装置は、第１の実施形態の表示灯装置と概ね同じ構成を有しているので、共通する部分についての説明は省略する。図１１には、第５の実施形態における表示灯装置のうち、発光部１６及び光表示部１４付近の拡大断面図を示している。
【００６０】
本形態の表示灯装置は、発光部１６と傾斜反射面部３１の配置が第４の実施形態と反対となっている。すなわち、発光部１６は、筐体２の前面側に配置されて、筐体２の奥側に向かって光を発する。傾斜反射面部３１は、発光部１６からの光を、筐体２の内周側から外周側に向かうように反射させる。傾斜反射面部３１で反射した光は、透光部１３を経て光表示部１４で反射し、外部に出射される。
【００６１】
このように、発光部１６を筐体２の奥側に向かって光を発するように配置すると共に、傾斜反射面部３１によって筐体２の内周側から外周側に向かうように光を反射させることで、発光部１６から透光部１３までの光の経路を長くすることができ、透光部１３には光が拡散された状態で到達するので、透光部１３の一部だけに光が集中して透光部１３や光表示部１４に光のむらを生じさせ、意匠性を低下させることを防止できる。また、発光部１６が、最終的に光が出射される筐体２の前面側と反対側を向いていることで、発光部１６からの光が直接、筐体２の前面側に向かうことがなく、光をより拡散させることができる。
【００６２】
次に、本発明の第６の実施形態について説明する。本形態の表示灯装置は、第１の実施形態の表示灯装置と概ね同じ構成を有しているので、共通する部分についての説明は省略する。図１２には、第６の実施形態における表示灯装置のうち、発光部１６及び光表示部１４付近の拡大断面図を示している。
【００６３】
本形態の表示灯装置は、透光部１３よりも筐体２の奥側に発光部１６が配置される。発光部１６は、筐体２の前面側に向かって光を発することができる。また、筐体２内には、発光部１６を覆うように乳白部材３２が設けられる。乳白部材３２は、乳白色の樹脂材などによって形成されており、光を拡散しつつ透過させることができる。
【００６４】
発光部１６からの光は、乳白部材３２によって拡散され、光反射部１７などで反射し、透光部１３に到達する。乳白部材３２で発光部１６を覆うことにより、透光部１３に到達した時点で、光は拡散されており、透光部１３の一部だけに光が集中して透光部１３や光表示部１４に光のむらを生じさせ、意匠性を低下させることを防止できる。
【００６５】
次に、本発明の第７の実施形態について説明する。本形態の表示灯装置は、第１の実施形態の表示灯装置と概ね同じ構成を有しているので、共通する部分についての説明は省略する。図１３には、第７の実施形態における表示灯装置のライトガイド部３３及び発光部１６の構成を表した正面図を示している。この図においては、筐体２の外形と発光部１６及びライトガイド部３３以外は破線にて表している。
【００６６】
本形態の表示灯装置では、透光部の代わりに弧状に形成されたライトガイド部３３が設けられている。また、発光部１６は、ライトガイド部３３の両端面にそれぞれ対向するように配置されている。ライトガイド部３３は、筐体２の周方向に沿って光を透過させることができると共に、透過している光の一部を、周方向の各位置において外周側に向かって放出できるように構成されている。このために、ライトガイド部３３の内周側面には、微細な凹凸が形成されている。ライトガイド部３３の端面から入射した光は、ライトガイド部３３の内周側面によって一部が外周側に向かって反射し、それ以外の光は周方向に沿って進む。ライトガイド部３３の内周側面に形成される凹凸は、ライトガイド部３３の周方向に沿って外周側面から出射される反射光の強度が、略一定となるように設定される。本形態では、ライトガイド部３３の両端面からそれぞれ光が入射されるので、一方の発光部１６からの光は、ライトガイド部３３の周方向長さの半分の長さに渡って、略一定の強度で外周側に向かって出射されればよい。
【００６７】
このように、発光部１６からの光を、ライトガイド部３３から出射させるようにすることで、ライトガイド部３３からの光が、筐体２の周方向に沿って均一となり、光のむらをなくして意匠性を向上させると共に、光の視認性も良好にすることができる。なお、本形態では、第１の実施形態の形状の表示灯装置にライトガイド部３３を適用したが、第２の実施形態の形状の表示灯装置においても、透光部の代わりにライトガイド部を設けることができる。
【００６８】
以上、本発明の実施形態について説明したが、本発明の適用は上述の実施形態には限られず、その技術的思想の範囲内において様々に適用されうる。例えば、上述の実施形態では、表示灯装置に防災装置を一体的に設けているが、表示灯装置は防災機器を一体的に有していなくてもよく、防災機器の近傍に設置されてもよい。
【００６９】
また、筐体や光表示部の形状についても、上述の実施形態には限られず、様々なデザインが考えられうる。
【００７０】
また、上述の実施形態では、筐体２の前面部１０側に透明部材１５が、それよりも筐体２の内側に透光部１３が設けられているが、これらの構成及び組み合わせは、様々な形態が考えられる。例えば、透明部材１５の代わりに、赤色あるいは乳白色の透光性を有する部材を用いてもよいし、また、透明部材１５を設けないようにすることもできる。また、透光部１３については、前述のように透明あるいは乳白色の材料で形成することもできる。
【符号の説明】
【００７１】
１    表示灯装置
２    筐体
３    火災発信機
１０    前面部
１１    周面部
１２    凹部
１２ａ  内周側面
１２ｂ  外周側面
１３    透光部
１４    光表示部
１５    透明部材
１６    発光部
２０    操作部
２１    扉部
３０    覆い部
３１    傾斜反射面部
３２    乳白部材
３３    ライトガイド部
５０    表示灯装置
５１    筐体
５２    火災発信機
５３    室内面
６０    前面部
６１    周面部
６２    凹部
６２ａ  内周側面
６２ｂ  外周側面
６３    透過部
６３ａ  拡散リブ
６４    光表示部
６５    透明部材
６６    発光部
７０    操作部
７１    扉部
【図１】
2020004427.tif 000003
【図２】
2020004427.tif 000004
【図３】
2020004427.tif 000005
【図４】
2020004427.tif 000006
【図５】
2020004427.tif 000007
【図６】
2020004427.tif 000008
【図７】
2020004427.tif 000009
【図８】
2020004427.tif 000010
【図９】
2020004427.tif 000011
【図１０】
2020004427.tif 000012
【図１１】
2020004427.tif 000013
【図１２】
2020004427.tif 000014
【図１３】
2020004427.tif 000015